(57)【要約】【課題】  ドアとドアとの間の漏洩を防止するガスケットにおいて磁石により接触する面積を小さくする冷蔵庫用ガスケット及びこれを用いた収納空間密閉構造を提供する。【解決手段】  本発明は、１つの収納空間を一対のドアにより開閉する冷蔵庫に採用できる。一対のドアの対峙する側面に、相互に密接することによりドア間からの冷気の漏洩を防止するガスケットが設けられる。ガスケットは可撓性材料によるガスケット本体を有する。相互に密接するガスケット本体部分のみに磁石が設置され、残部は弾性変形が容易な弾性部で構成される。ガスケットは、対面する一対のドアの各側面に設けられたドアブラケットの設置空間内のガスケットホルダーに取付けられる。ガスケットの磁石は収納空間の反対側に偏る領域に設けられ、弾性部は収納空間側に形成される。ガスケットの耐久性が向上し、ドアの開閉時の動作騷音が無くなり、冷気の漏洩を最小化できる。【選択図】      図４
2005283116.tif 000002
【特許請求の範囲】
【請求項１】
冷蔵庫本体内の収納空間を一対のドアにより開閉する冷蔵庫において、
一対の前記ドアの対峙する側面に沿ってそれぞれ凹設された設置空間と、
基端を中心にその先端が前記設置空間の内部へ向って回動するようにそれぞれの前記設置空間の内に設けられ、かつ前記設置空間の外部へ回動する傾向を持つガスケットホルダーと、
前記ガスケットホルダーの側面上にそれぞれが設けられ、かつ前記ドアが前記収納空間を閉鎖するときに相互に接触するガスケットとを含み、
前記ガスケットの各々は前記収納空間と反対側にある前記ガスケットの接触面の一部に磁石を装備していることを特徴とする冷蔵庫用収納空間密閉構造。
【請求項２】
前記設置空間は、前記ドアの内部に凹設されるドアブラケットの一部により形成され、前記ドアブラケットは前記ドアの側面の外観を形成している、請求項１に記載の冷蔵庫用収納空間密閉構造。
【請求項３】
前記ガスケットホルダーの自由端に係止ストッパーが形成され、この係止ストッパーは前記設置空間の入口に形成されたストッパーに係止し、それにより前記ガスケットホルダーの自由端が前記設置空間の外部に突出することが防止される、請求項１に記載の冷蔵庫用収納空間密閉構造。
【請求項４】
前記ガスケットの各々は、
長手方向に延在する可撓性のガスケット本体と、
前記収納空間に隣接して前記ガスケット本体内に形成された弾性部と、
前記ガスケット本体の外面上で長手方向に延在し、かつ前記ガスケットホルダーに挿着された取付けリブとを含み、前記磁石は、前記ガスケット本体内に設けられ、かつ前記ガスケット本体が対応するガスケット本体と接触する側面上で前記弾性部から離れた領域に位置決めされている、請求項１に記載の冷蔵庫用収納空間密閉構造。
【請求項５】
前記ガスケット本体の内部を両端で連結して、前記弾性部の弾性を補強する弾性連結部が前記弾性部に形成されている、請求項４に記載の冷蔵庫用収納空間密閉構造。
【請求項６】
前記設置空間内にスペーサが設けられ、前記スペーサは所定のクッション機能を有する、請求項１に記載の冷蔵庫用収納空間密閉構造。
【請求項７】
前記スペーサは、前記ガスケットホルダーの先端に対応する前記設置空間の少なくとも内面上に設けられている、請求項６に記載の冷蔵庫用収納空間密閉構造。
【請求項８】
長手方向に延在する可撓性ガスケット本体と、
収納空間に隣接して前記ガスケット本体内に形成された弾性部と、
前記ガスケット本体内で長手方向に延在し、かつ対応するガスケット本体と接触する前記ガスケット本体外面の、前記弾性部から離れた領域に、位置決めされた磁石とを含むことを特徴とする、冷蔵庫用ガスケット。
【請求項９】
前記ガスケット本体の内部を両端で連結して、前記弾性部の弾性を補強する弾性連結部が前記弾性部に形成されている、請求項８に記載の冷蔵庫用ガスケット。
【請求項１０】
前記ガスケット本体の外面上に取付けリブが長手方向に延在し、それにより前記ガスケット本体を所定位置に固定する、請求項８に記載の冷蔵庫用ガスケット。
【発明の詳細な説明】
【技術分野】
【０００１】
本発明は、冷蔵庫に関し、より詳しくは、１つの収納空間を２つのドアにより開閉する冷蔵庫に使われるガスケット及びこれを用いた収納空間密閉構造に関する。
【背景技術】
【０００２】
冷蔵庫は、収納空間の内部を所定の温度に維持して、収納された食品を新鮮な状態に保つものである。このような冷蔵庫には、多様な種類があるが、最近、１つの収納空間を２つのドアにより開閉できるものが市販されている。図１及び図２には、１つの収納空間を２つのドアにより開閉する従来技術による冷蔵庫が示されている。
【０００３】
図示のように、冷蔵庫本体１は、冷蔵室３及び冷凍室５が上下に仕切られて形成される。前記冷蔵室３及び冷凍室５の内部には、食品を収納するために、複数の棚１１と収納ボックス１３が設けられる。また、前記冷蔵室３及び冷凍室５は、それぞれ第１及び第２冷蔵室ドア７、７’と冷凍室ドア９によって選択的に開閉される。前記第１及び第２冷蔵室ドア７、７’は、前記冷蔵庫本体１の両端に連結した部分を中心にして、互いに接触する先端が回動することにより開閉される。前記冷凍室ドア９は、引出し式で構成され、冷蔵庫の前方に引出し可能に設けられる。参照符号７ａ、７’ａ及び９ａは、ドアハンドルである。
【０００４】
また、前記冷蔵室ドア７、７’が閉じられた状態で、冷蔵室３の内部の冷気が外部に流出すことをを防止するために、ガスケットＧａ、Ｇｃが設けられている。前記ガスケットＧａは、前記冷蔵室ドア７、７’の互いに隣接する先端に各々設けられる側ガスケットＧａであり、前記ガスケットＧｃは、前記冷蔵庫本体１の前面に対応する冷蔵室ドア７、７’の背面に設けられる背面ガスケットＧｃである。これらのガスケットＧａ、Ｇｃは、磁力を持つ。
【０００５】
図３は、図１のＡ−Ａ’線における断面図であり、前記冷蔵室ドア７、７’の側面に設けられた側ガスケットＧａが互いに接触する部分の構成が示されている。図３を参照すれば、冷蔵室ドア７、７’は、前面及び側面の一部を外部プレート２０により形成し、内面をドアライナー２４により形成する。前記外部プレート２０の前面を前面部２１と言い、側面を側面部２２と言う。前記外部プレート２０及びドアライナー２４により形成される内部空間には、絶縁層２５が形成される。前記側面部２２の先端には、挿入フランジ部２３が前記前面部２１と平行に上下方向に長く形成される。
【０００６】
前記冷蔵室ドア７、７’の対向する側面には、各々ドアブラケット２５が設けられる。前記ドアブラケット２５は、前記冷蔵室ドア７、７’の上下方向の長さに対応するように長く形成され、冷蔵室ドア７、７’の側面の一部を形成する。前記ドアブラケット２５には前記挿入フランジ部２３を挿入する挿入溝２６が上下に長く形成され、密接フランジ部２７が、前記ドアライナー２４の内面に密接するように、前記挿入溝２６が形成された反対側に設けられる。
【０００７】
前記ドアブラケット２５の外面には、前記絶縁層２５側に凹設されるように設置空間２８が形成される。前記設置空間２８は、前記ドアブラケット２５の長手方向に長く形成される。前記設置空間２８は、内側の幅より入口側の幅が相対的に狭く形成される。前記設置空間２８の内部には、ガスケットホルダー３０が設けられる。前記ガスケットホルダー３０は、前記設置空間２８の長手方向に長く形成される。前記ガスケットホルダー３０は、所定硬度を有する合成樹脂または金属材質により形成される。前記ガスケットホルダー３０の拡大断面図に示されたように、前記冷蔵室３側に該当する端部には、ヒンジ孔３０’が形成され、前記ヒンジ孔３０’の内部には、前記ドアブラケット２５側に設けられるヒンジ軸３１が形成される。したがって、前記ガスケットホルダー３０は、前記ヒンジ軸３１を中心に回転自在である。
【０００８】
前記ガスケットホルダー３０のヒンジ孔３０’の反対側端部には、ストッパー３２が突設されている。前記ストッパー３２は、前記ガスケットホルダー３０が設置空間２８の外部に突出しないように、設置空間２８の内部の一側に係止する役目をする。前記ガスケットホルダー３０は、弾性部材により、前記設置空間２８の外側に突出する方向に回転する傾向がある。前記ガスケットホルダー３０には、さらに、取付けチャンネル３３が長手方向に長く形成される。前記取付けチャンネル３３は、前記設置空間２８の入口方向に開口し、その入口の幅が内側より狭く形成される。
【０００９】
前記ガスケットホルダー３０には、前記側ガスケットＧａが装着される。前記側ガスケットＧａのガスケット本体Ｇｂは可撓性を有し、その内部には磁石Ｍｇが付着される。前記ガスケット本体Ｇｂの片面には、取付けリブＧｒが長手方向に長く形成される。前記取付けリブＧｒは、その端面が前記取付けチャンネル３３の内部の端面に対応するように形成される。したがって、前記取付けリブＧｒが前記取付けチャンネル３３に挿入されることにより、側ガスケットＧａがガスケットホルダー３０に装着される。参照符号３５は、ドアカバーである。
【００１０】
しかしながら、前述のような従来技術では、次のような問題点がある。
従来技術において、前記側ガスケットＧａは、前記ドアブラケット２５の設置空間２８内に回動自在に設けられる。しかし、前記側ガスケットＧａが回動自在に設けられるようにするには、前記設置空間２８を完全に密閉することが難しい。これにより、設置空間２８間に隙間が生じ、この隙間を通じて冷気の漏洩が発生するという問題がある。
【００１１】
また、前記第１冷蔵室ドア７又は第２冷蔵室ドア７’を開いたり閉じる時、それぞれのドア７、７’に形成された側ガスケットＧａが互いに密接しながら、前記ガスケットホルダー３０がヒンジ軸３１を中心に回動（ｐｉｖｏｔ）して、その先端が前記設置空間２８の内側へ移動する。しかし、このようなガスケットホルダー３０の回動が過度に進行すると、前記設置空間２８の内面に前記ガスケットホルダー３０が衝突して騷音が発生する。これは、前記ガスケットホルダー３０とドアブラケット２５が所定の硬度を有することによる。
【００１２】
更に、従来技術では、前記ガスケット本体Ｇｂが互いに接触する面の全面にわたって、前記磁石Ｍｇが設けられる。したがって、前記磁石Ｍｇの磁力が、互いに密接しているガスケット本体Ｇｂの全体に作用するので、相対的に磁力の強さが大きくなり、冷蔵室ドア７、７’の開放が相対的に難しいという問題がある。
【００１３】
また、前記磁石Ｍｇは、所定硬度を有するので、前記ガスケット本体Ｇｂの可撓性を低下させる。つまり、冷蔵室ドア７、７’を閉じる時、前記ガスケット本体Ｇｂが最初に接触する部分（又は、冷蔵室ドア７、７’を開放する時、最後まで接触している部分）の内部にも前記磁石Ｍｇが設置されているので、その部分の摩耗や損傷が顕著になるという問題がある。特に、冷蔵室ドア７、７’を開閉する時、最初に接触し、または最後に離れる部分は、前記ドアブラケット２５の回転中心であるヒンジ軸３１に隣接した部分であるので、ガスケット本体Ｇｂ間の衝突力が大きい。
【発明の開示】
【発明が解決しようとする課題】
【００１４】
従って、本発明は、上述の従来技術の問題点を解決することを意図する。本発明の課題は、ドア間の漏洩を防止するガスケットにおいて磁石により接触する面積を相対的に低減させることにある。
【００１５】
本発明の他の課題は、１つの収納空間を２つのドアにより開閉する冷蔵庫において、ドア間を密閉するガスケットの回動動作による衝撃を最小化することにある。
本発明のさらに他の課題は、１つの収納空間を２つのドアにより開閉する冷蔵庫において、ドア間の密閉をさらに確実にすることにある。
【課題を解決するための手段】
【００１６】
前記課題を解決するために、本発明による冷蔵庫用収納空間密閉構は、冷蔵庫本体内の収納空間を一対のドアにより開閉する冷蔵庫において、
一対の前記ドアの対峙する側面に沿ってそれぞれ凹設された設置空間と、
基端を中心にその先端が前記設置空間の内部へ向って回動するようにそれぞれの前記設置空間の内に設けられ、かつ前記設置空間の外部へ回動する傾向を持つガスケットホルダーと、
前記ガスケットホルダーの側面上にそれぞれが設けられ、かつ前記ドアが前記収納空間を閉鎖するときに相互に接触するガスケットとを含み、
前記ガスケットの各々は前記収納空間と反対側にある前記ガスケットの接触面の一部に磁石を装備していることを特徴とする。
【００１７】
好適形態において、前記設置空間は、前記ドアの内部に凹設されるドアブラケットの一部により形成され、前記ドアブラケットは前記ドアの側面の外観を形成している。
【００１８】
好適形態において、前記ガスケットホルダーの自由端に係止ストッパーが形成され、この係止ストッパーは前記設置空間の入口に形成されたストッパーに係止し、それにより前記ガスケットホルダーの自由端が前記設置空間の外部に突出することが防止される。
【００１９】
好適形態において、前記ガスケットの各々は、
長手方向に延在する可撓性のガスケット本体と、
前記収納空間に隣接して前記ガスケット本体内に形成された弾性部と、
前記ガスケット本体の外面上で長手方向に延在し、かつ前記ガスケットホルダーに挿着された取付けリブとを含み、前記磁石は、前記ガスケット本体内に設けられ、かつ前記ガスケット本体が対応するガスケット本体と接触する側面上で前記弾性部から離れた領域に位置決めされている。
【００２０】
好適形態において、前記ガスケット本体の内部を両端で連結して、前記弾性部の弾性を補強する弾性連結部が前記弾性部に形成されている。
【００２１】
好適形態において、前記設置空間内にスペーサが設けられ、前記スペーサは所定のクッション機能を有する。
【００２２】
好適形態において、前記スペーサは、前記ガスケットホルダーの先端に対応する前記設置空間の少なくとも内面上に設けられている。
【００２３】
本発明による冷蔵庫用ガスケットは、長手方向に延在する可撓性ガスケット本体と、
収納空間に隣接して前記ガスケット本体内に形成された弾性部と、
前記ガスケット本体内で長手方向に延在し、かつ対応するガスケット本体と接触する前記ガスケット本体外面の、前記弾性部から離れた領域に、位置決めされた磁石とを含むことを特徴とする。
【００２４】
好適形態の冷蔵庫用ガスケットにおいて、前記ガスケット本体の内部を両端で連結して、前記弾性部の弾性を補強する弾性連結部が前記弾性部に形成されている。
【００２５】
好適形態の冷蔵庫用ガスケットにおいて、前記ガスケット本体の外面上に取付けリブが長手方向に延在し、それにより前記ガスケット本体を所定位置に固定する。
【００２６】
このような構成を有する本発明によれば、１つの収納空間を２つのドアにより開閉する冷蔵庫において、ドアの先端に設けられかつ相互に接触する側ガスケットの損傷が最小限にされ、ドアの開閉時の側ガスケットの動作騷音が解消され、かつドア間の密閉がさらに確実になり、これにより、冷気の漏洩が防止される利点がある。
【発明の効果】
【００２７】
本発明による冷蔵庫のガスケット及びこれを用いた収納空間密閉構造は、次のような効果を有する。
【００２８】
本発明のガスケットは、磁石の磁力を用いて互いに接着するが、他方で、磁石によるガスケット本体の可撓性の低下を防止するために、磁石が装備されない弾性部を有する。したがって、ガスケットを長期間使用しても、容易に損傷されずに、耐久性が向上する利点がある。
【００２９】
また、本発明によれば、ドアの側面に設けられるドアブラケットの設置空間内に設置されたガスケットホルダーの回動を妨害することなく、設置空間の空間を最小限にすると共に、ガスケットホルダーが衝突しても、衝撃エネルギを吸収するスペーサが設けられている。したがって、ドアの開閉時に、ガスケットホルダーに起因する騷音が発生しない利点がある。
【００３０】
また、ドアブラケットの設置空間に設けられたスペーサは、設置空間の容積を最小化することにより、設置空間が冷気の漏洩の通路となることを防止し、外気と冷気との接触を防止する利点を有する。
【発明を実施するための最良の形態】
【００３１】
以下、添付の図面を参照して本発明による冷蔵庫用ガスケット及びこれを用いた収納空間密閉構造の好適な実施形態を詳細に説明する。
【００３２】
図４は、本発明によるガスケット及びこれを用いた収納空間密閉構造の好適な実施形態を示す横断面図であり、図５は、本発明による実施形態の要部構成を拡大して示す図である。
【００３３】
図示のように、冷蔵庫本体の内部に形成される収納空間４８は、第１ドア５０及び第２ドア５０’により開閉される。前記第１ドア５０及び第２ドア５０’は、前記冷蔵庫本体の両端に、ヒンジ組立体により各々連結され、それぞれの先端が互いに接触した、図４の状態で収納空間４８を閉鎖する。
【００３４】
前記第１及び第２ドア５０、５０’は、外プレート５１とドアライナー５４により外側枠が形成され、その内部に絶縁層５５が形成される。前記外プレート５１は、主として、ドア５０、５０’の前面を形成する。前記外プレート５１は、ドア５０、５０’の前面を形成する前面部５２と、前記前面部５２から略直角に折り曲げられ、ドア５０、５０’の側面の一部を形成する側面部５３とを備える。前記側面部５３の先端には、前記前面部５２と略平行になるように挿入フランジ部５３’が形成される。前記前面部５２と側面部５３とが連結される部分は、丸く形成されることが好ましい。
【００３５】
前記ドアライナー５４は、ドア５０、５０’の背面を形成し、ドア５０、５０’が閉じられた時、収納空間４８の内部に位置する。前記ドアライナー５４には、食品を収納できる収納ポケットが設けられる。
【００３６】
前記外プレート５１の側面部５３とドアライナー５４との間で前記ドア５０、５０’が相互に対面する各側面には、ドアブラケット５６が設けられる。前記ドアブラケット５６は、所定幅を持ち、前記ドア５０、５０’の上端から下端までの距離に相当する長さを有する。前記ドアブラケット５６の幅は、前記ドア５０、５０’の側面内で側面部５３とドアライナー５４間の距離に対応する。前記ドアブラケット５６は、前記ドア５０、５０’の側面に表面が露出するように設けられる。
【００３７】
前記ドアブラケット５６の、前記外プレート５１に対応する位置には、挿入溝５７が形成される。前記挿入溝５７は、前記外プレート５１の挿入フランジ部５３’が挿入される部分である。前記挿入溝５７は、前記ドアブラケット５６の長手方向に長く形成される。前記挿入溝５７が形成された反対側には、前記ドアライナー５４の内面に密接する密接フランジ部５７’が形成される。前記密接フランジ部５７’は、前記ドアライナー５４の対応する部分に密接し得る形状を有する。前記密接フランジ部５７’は前記ドアブラケット５６の長手方向に延在する。前記密接フランジ部５７’と前記ドアライナー５４との間の相互密接を締結するための構造が付加されることができる。
【００３８】
前記ドアブラケット５７の表面、すなわち前記ドア５０、５０’の外部に露出する面には、設置空間５８が形成される。前記設置空間５８は前記ドアブラケット５７の長手方向に延在し、前記絶縁層５５側に凹設される。前記設置空間５８は、前記ドアブラケット５７の両端までに延在してよい。しかし、これに限らず、前記設置空間５８の両端から少し短い位置までであってよい。前記設置空間５８は、図面に示されたように、その内側の断面幅が入口の断面幅より相対的に広く形成されている。すなわち、前記設置空間５８の一側の入口に沿ってストッパー５８’が形成される。
【００３９】
前記設置空間５８の内部には、ガスケットホルダー６１が設けられる。前記ガスケットホルダー６１は、前記設置空間５８の内部に設けられ、前記ドアブラケット５６と同様に長手方向に延在する。前記ガスケットホルダー６１の一端部には、ヒンジ孔６１’が穿設され、前記ヒンジ孔６１’には、前記ドアブラケット５６上に形成されたヒンジ軸６２が挿入される。前記ヒンジ孔６１’は、前記ガスケットホルダー６１、を横断面から見て、収納空間４８に相対的に隣接して形成される。
【００４０】
前記ガスケットホルダー６１は、前記ヒンジ軸６２を中心に回動する先端を有する。特に、前記ガスケットホルダー６１は、図示しない弾性部材により保持され、前記ヒンジ軸６２を中心に先端が前記設置空間５８の外部に突出する方向に回転しようとする。前記ガスケットホルダー６１の先端、すなわち前記ヒンジ孔６１’の反対端には、係止ストッパー６３が設けられる。前記係止ストッパー６３は、前記ガスケットホルダー６１の全体にわたって延在する。しかし、これに限らず、設計条件に応じて必要な部分のみに形成してもよい。前記係止ストッパー６３は、前記ドアブラケット５６のストッパー５８’に係止し、ガスケットホルダー６１が設置空間５８の外部に突出しないようにする。
【００４１】
前記ガスケットホルダー６１には、その長手方向に取付けチャンネル６５が形成される。前記取付けチャンネル６５は、断面から見ると、その内部の幅より入口の幅が狭く形成される。前記取付けチャンネル６５は、後述する側ガスケット７０と共に形成される。
【００４２】
側ガスケット７０は、相互に対面する前記第１及び第２ドア５０、５０’の側面上にそれぞれ設けられ、互いに密接することにより、ドア５０、５０’の側面を通じて冷気が漏洩することを防止する。前記側ガスケット７０を構成するガスケット本体７１は、ゴムのように所定の弾性を持つ柔軟材で形成される。前記ガスケット本体７１は、対峙する前記ドア５０、５０’間からの冷気の漏洩を阻止できる長さで長手方向に延在するように形成される。
【００４３】
前記ガスケット本体７１には、前記ガスケットホルダー６１の取付けチャンネル６５に挿入される取付けリブ７２が突出形成される。前記取付けリブ７２は、前記取付けチャンネル６５の横断面に対応する横断面を有する。したがって、前記取付けリブ７２が前記取付けチャンネル６５に挿入されれば、相対的に狭い入口を有する取付けチャンネル６５から離脱するのは困難になる。
【００４４】
前記ガスケット本体７１には、磁石７３が装着される。前記磁石７３は、前記ガスケット本体７１の長さと同一の長さを有する。前記磁石７３は、対峙ドア５０、５０’のガスケット７０に相互に対して極性が異なるように設置される必要である。前記磁石７３は、前記ガスケット本体７１が互いに密接する面の一部のみに位置するように、相対的に狭い幅を有する。前記磁石７３は、収納空間４８の反対側へ付勢される前記ガスケット本体７１の部分に設けられる。
【００４５】
すなわち、前記磁石７３は、前記ドア５０、５０’の開放時に相互から最初に分離し、かつ閉鎖時に最後に接触する前記ガスケット７０部分に位置決めされる。これは、前記磁石７３が装着されるガスケット本体７１の部分は、前記磁石７３に起因して相対的に硬度が高いからである。
【００４６】
前記ガスケット本体７１の、前記磁石７３が装着されない部分は、弾性部７５で形成される。前記弾性部７５には、前記ガスケット本体７１の内部に両端が連結された弾性連結部７７が設けられる。前記弾性連結部７７は、前記弾性部７５が所定の弾性を有するようにする。すなわち、前記弾性部７５が反復的に互いに接触したり分離したりしても、その弾性が維持される。
【００４７】
前記ドアブラケット５６の設置空間５８内には、スペーサ８０が設けられる。前記スペーサ８０は、前記設置空間５８内に装填され、かつ設置空間５８の容積を相対的に小さくする働きをする。これは、前記設置空間５８を通る冷気の漏洩または外気と冷気との接触を最小限にするためである。前記スペーサ８０は、所定のクッション性を持つ材料より形成され、前記ガスケットホルダー６１が回動中に衝突しても、騷音や衝撃が発生しないようにする。
【００４８】
参照符号８２は、ドアカバーである。前記ドアカバー８２は、その内面上に設けられる固定フック（図示せず）が前記ドアブラケット５６内に形成される固定溝（図示せず）に挿入されることによりドアブラケット５６へ固定される。
【００４９】
以下、前述の構成を有する本発明による冷蔵庫用ガスケット及びこれを用いた収納空間密閉構造の作用を詳細に説明する。
【００５０】
まず、本発明のガスケット７０では、対応するガスケット７０と接触するガスケット本体７１の一部のみに磁石７３が設けられる。特に、ドア５０、５０’の開閉時に、相互に対して、最初に接触し、最後に分離するガスケット本体７１部分である弾性部７５には、磁石７３は設けられない。前記磁石７３が設置されていないガスケット本体７１部分である弾性部７５には、弾性連結部７７を形成することにより、所定の弾性を維持する。
【００５１】
このように、弾性部７５は、所定の弾性を有するので、対応するガスケット７０と互いに接触、分離するときに、弾性変形しかつ復元し、そのようにして損傷が防止される。もちろん、前記磁石７３は、前記弾性部７５の復元力に伴って、対応するガスケット７０相互を確実に密接させる。
【００５２】
前記ドア５０、５０’は、双方を同時に、又はいずれか一方を開閉することができる。前記ドア５０、５０’の双方又はいずれか一方が開放されれば、前記ガスケットホルダー６１が弾性部材の復元力によりヒンジ軸６２を中心に回転し、それにより前記ガスケット７０は、図６に示すように、ドア５０、５０’の側面に若干突出する。前記係止ストッパー６３が前記ストッパー５８’に係止することにより、前記ガスケットホルダー６１のそれ以上の回転は防止される。
【００５３】
前述のような状態で、前記ドア５０、５０’が閉じられれば、前記ドア５０、５０’の相互に対面する側面に設けられたガスケット７０は互いに密接し、これにより、冷気の漏洩を防止する。この時、前記ガスケット７０の前記弾性部７５が最初に接触し、続いて接触領域が拡大し、そこでガスケット７０は相互に完全に接触する。そして、前記ドア５０、５０’が完全に閉じられれば、図５に示すような状態となるが、前記磁石７３が互いに接着し、かつ前記弾性部７５が若干復元して相互に密接する。したがって、前記ドア５０、５０’の側面間からの冷気の漏洩は遮断される。
【００５４】
一方、前記ドア５０、５０’が開放される時は、前記磁石７３を設置した部分が先ず分離される。すなわち、ドア５０、５０’の開放によって、磁石７３により相互に密接していたガスケット本体７１部分が最初に分離し、次いで、前記弾性部７５が序々に分離する。もちろん、相互に接着し前記磁石７３を分離するために、別の構造が付加されてよい。
【００５５】
前記ドア５０、５０’の開放時に、前記ガスケット本体７１の最後に分離される部分は弾性部７５であり、弾性部７５はドア５０、５０’によって相互に対して押圧されて、ある程度弾性変形した後に、図６に示された状態に復元される。
【００５６】
前記ドアブラケット５６の設置空間５８内にはスペーサ８０が設けられ、前記スペーサ８０は、前記ガスケットホルダー６１の回動を妨害することなく、かつ設置空間５８の容積を相対的に低減する。そのようにして、設置空間５８からの冷気の漏洩を防止し、かつ外気と冷気間の接触を減少させる役目をする。更に、前記スペーサ８０は、所定のクッション機能を有するので、前記ガスケットホルダー６１がスペーサ８０に衝突しても、騷音が発生することなく衝撃エネルギーを吸収できる。
【００５７】
以上において説明した本発明は、本発明の技術的思想を逸脱しない範囲内で、様々な置換、変形及び変更が可能であるので、本発明が属する技術分野における通常の知識を有する者には、上述した実施形態及び添付図面に限定されるものではないことが理解できるであろう。
【図面の簡単な説明】
【００５８】
【図１】従来技術による冷蔵庫の外観を示す正面図である。
【図２】図１の冷蔵庫の内部構成を示す正面図である。
【図３】図１のＡ−Ａ’線における断面図である。
【図４】本発明による冷蔵庫用収納空間密閉構造の好適な実施形態を示す横断面図である。
【図５】本発明による実施形態の要部構成を示す断面図である。
【図６】本発明による実施形態においてドアが開放された状態でのガスケット及びガスケットホルダーの状態を示す動作状態図である。
【符号の説明】
【００５９】
５０    ドア
５１    外プレート
５２    前面部
５３    側面部
５３’    挿入フランジ部
５４    ドアライナー
５５    絶縁層
５６    ドアブラケット
５８    設置空間
５８’    ストッパー
６１    ガスケットホルダー
６３    係止ストッパー
６５    取付けチャンネル
７０    ガスケット
７１    ガスケット本体
７３    磁石
７５    弾性部
７７    弾性連結部
【図１】
2005283116.tif 000003
【図２】
2005283116.tif 000004
【図３】
2005283116.tif 000005
【図４】
2005283116.tif 000006
【図５】
2005283116.tif 000007
【図６】
2005283116.tif 000008